(57)【要約】【課題】  磯等の釣りにおいて、サシエを表層のエサ取りから保護し、目的の魚の泳層まで送り届け。かつ、釣竿を利用しての投入が可能で、微細な魚のアタリ（魚診）を感じ取ることを妨げないカプセルを提供すること。【解決手段】  硬質で薄い合成樹脂製の半球の２つが蝶つがいで繋がる構造のカプセルで、内部にサシエ及びコマセを収納し、サルカン等で留めた釣り糸を上部カプセルのおよそ中心にある孔の内側から通し、下部カプセル開口部カバー部分の投入用フックに掛けることでカプセルを閉じたまま釣竿を利用しての海への投入を可能にし、目的の魚の泳層に達したとき海上のウキの浮力がカプセルに繋がる釣り糸を引くことでカプセルは開放し、収納したサシエ及びコマセを海中に放出する構造のカプセルを利用する。【選択図】  図１
2005168478.tif 000002
【特許請求の範囲】
【請求項１】
合成樹脂製の硬質で薄いおよそ半球の形を成している２つが、蝶つがいによって開閉できるように繋がり、内部にサシエ及びコマセ（以下「サシエ等」という。）を収納できるおよそ球体の形を成しているカプセル（以下「カプセル」という。）で、一方の半球のおよそ中央付近に釣り糸を通す孔を備え、この孔を通る釣り糸が海上のウキ又は釣竿により上方に引かれたときカプセルが開放し、内包したサシエ等を海中に放出できることを特徴とするカプセル。
【請求項２】
請求項１のカプセルにおいて、投入後の海上着水時及び目的とする水深に達する前の沈降途中に海水の浸入等による開放を防ぐため、一方の半球の開口部に別の半球の開口部を覆うカバーを備えたカプセル。
【請求項３】
請求項２のカプセルにおいて、カプセルが閉じた状態で開口部のカバー部分と別の半球が重なる部分にそれぞれが噛み合う凸凹部分を備え、投入後の海上着水時及び沈降の途中においてはカプセルの開放を防いでいるが、目的の水深に達しカプセルの孔から出た釣り糸に上方からの張力がかかったときは噛み合う凸凹部分が外れカプセルを開放することを特徴とするカプセル。
【請求項４】
請求項３のカプセルにおいて、開口部のカバー部分に投入用フックを備え、この投入用フックに別の半球のおよそ中央付近の孔から出る釣り糸を掛けることで、釣竿からの張力が保持されている間は２つの半球同士が引き合う力が作用しているため、釣竿を利用してカプセルを閉じたまま海への投入を可能にする機能を有するカプセル。
【発明の詳細な説明】
【発明の詳細な説明】
【技術分野】
【０００１】この発明は、釣りにおけるサシエ及びコマセ（以下「サシエ等」という。）を表層にいるエサ取りの魚から守り、目的とする魚の泳層まで確実に送り届けることを目的とする。
【背景技術】
【０００２】現在、主に行われているエサ取りの魚からサシエを守る方法は、サシエを投入したいポイントから離れたところにコマセを撒き、そこにエサ取りの魚を集めておいてから、目指すポイントにサシエを投入し、エサ取りの魚がそれを見逃すという偶然に期待するものである。
また、既にサシエを守る器具は発明されているが、釣竿を利用して目的とする離れたポイントに投入することが難しいものであり、かつ、できるだけ繊細な仕掛けを望む釣り人にとって、いずれも構造が複雑、重量を伴うものであった。
【特許文献１】特許公開平１０−１５０８９５
【特許文献２】特許公開平８−２９８９０８
【特許文献３】特許公開平１０−３２３１５０
【発明が解決しようとする課題】
【０００３】従来のウキふかせ釣り等の仕掛けを利用することにより、できるだけ部品数を少なくシンプルに、かつ軽くすることで魚の微細なアタリ（魚診）を感じ取ることを妨げずに、確実にエサ取りの魚からサシエを保護し、サシエ等を目的の魚の泳層まで送り届けること。
かつ、従来どおり釣竿を利用しての投入を可能にすることを課題とする。
【課題を解決するための手段】
【０００４】合成樹脂製の硬質で薄いおよそ半球の形を成している２つが、蝶つがいによって開閉できるように繋がりおよそ球体の形を成しているカプセル（以下「カプセル」という。）内にサシエ等を収納することにより、エサ取りの魚から保護する。
【０００５】釣り糸１３を発明４の投入用フック８に掛けることで、カプセルは閉じようとするので釣竿を利用してカプセルを閉じたまま海上への投入を可能にし、カプセルは発明２の開口部カバー５及び発明３の凹凸部分６、７により沈降途中において開放することはないが、目的の水深に達したときには海上のウキ１７の浮力が釣り糸１３を通して上部カプセル１を上方に引くためカプセルは開放され、収納したサシエ等を海中に放出できる構造のカプセルを利用する。
【発明を実施するための最良の形態】
【０００６】図１のサルカン１４を固着した釣り糸１３を上部カプセル１の内側に接するように糸通し孔４から通し、下部カプセル２にコマセ１２を入れ、その上にサシエ１１を置き、更にコマセ又は同じエサを乗せ。上部カプセル１の蓋をする。【０００７】次に、糸通し孔４から出た釣り糸１３を下部カプセル２の投入用フック８に掛ける。釣り糸１３に釣竿からの張力がかかっているときは、糸通し孔４と投入用フック８の間の釣り糸１３においても張力がかかっており、上部カプセル１及び下部カプセル２には閉じようする力が作用するので、釣竿を利用して常にウキに外側の遠心力がかかるような投げ方をすることでカプセルを閉じたまま海上の目的とするポイントへの投入を可能にする。【０００８】また、この投入用フック８に大きめの半円シモリ１５を蓋をするように乗せ、その上にウキクッション１６、ウキ１７が重しとなるよう乗せることで、半円シモリ１５はウキ等の重力のため投入用フック８から釣り糸１３を一層外れ難くする。カプセルを投入後、海上着水時には半円シモリ１５に乗っていたウキ等の重力がかからなくなると同時に、釣り糸１３は釣竿からの張力を失っているので投入用フック８から外れる。【０００９】そして、下部カプセル２の開口部カバー５が開口部から海水の浸入を防ぎ、かつ、上下カプセルの噛み合っている凹凸部分６、７のわずかな抵抗のためカプセルは沈降途中に開くことはない。【００１０】カプセルが目的とする水深まで沈降したとき、ウキ１７の浮力が釣り糸１３を通して上部カプセル１を上方に引き、わずかに開閉の抵抗となっていた凹凸部分６、７の噛み合わせは外れ、カプセルは開放し、収納したサシエ等を海中に放出することができる。【００１１】この凹凸部分６、７の噛み合わせは、カプセルが自然に開くことを抑える抵抗となるが、カプセルの肉厚の薄さによる柔軟性のため蝶つがい３を支点として開こうとするときは小さい力でも容易に噛み合わせを外れることを可能にする。【００１２】しかし、ウキ１７の浮力が小さいためカプセルが開放しなかったときは、カプセル内のコマセ１２の重さで海中に引き込まれている状態のウキｌ７を目視することでカプセルが未だ開放していないことを判別でき、このときは少し釣竿を上に振り上げ釣り糸１３を強く上に引くことでカプセルを開放することができる。【００１３】また、このカプセルは、大きさを変えることにより、ダンゴ釣りに使うダンゴに代えて利用することも可能である、このとき、中のサシエ１１を押しつぶすことなくそのままの形で収納可能であり、かつサシエ１１と同じ種類のエサを重ねて内包できるのでコマセとの同調を強調できる。
【発明の効果】
【００１４】サシエ等を硬質のカプセルに入れ、釣竿を利用して狙った海上のポイントへの投入を可能にし、沈降途中では確実にエサ取りの魚から保護され、目的とする水深に達したときに海上のウキ１７の浮力が釣り糸１３を通して上部カプセル１を上方に引くことでカプセルは開放し、サシエ等を目的とする魚の泳層まで送り届けることができる。このとき、コマセの効果が目的としているサシエ１１とコマセ１２の同調も行われることになる。
【００１５】また、サルカン１４は上部カプセル１の下面に位置しているため、カプセルがサシエ等を放出した後、魚がサシエ１１をくわえ釣り糸１３を下方に引いても，カプセル自身は引かれることなく釣り糸１３のみが引かれるので、魚にカプセルがあるがための違和感を与えることはない。かつ、釣り人はそのアタリ（魚診）を従来通り釣り糸１３を通して感じ取ることができる。
【発明が実施するための最良の状態】
【００１６】水深のある磯等において、表層のエサ取りの魚が多すぎて、目的とする魚の泳層までサシエを送り届けることができず釣果を期待できないとき、当発明のカプセルは従来通り釣竿を利用して投入が可能であるため、目指すポイントの海層まで確実にサシエ等をエサ取りから保護し、かつ同調をさせて送り届けることができる。なお、このことは表層のコマセを喰うエサ取りの魚の行動が、目的の魚の食餌行動を刺激するナブラの状態にとって変わり、釣果を上げる好条件の１つに転換する。
【図面の簡単な説明】
【００１７】
【図１】サシエ及びコマセを収納し半開き状態にあるカプセルの斜視図である。
【図２】サシエ及びコマセを収納しカプセルを閉じ、仕掛け全体を投入する準備のできたカプセルの斜視図である。
【図３】カプセルを開いた状態の平面図である。
【図４】カプセルを開いた状態の側面図である。
【図５】カプセルを閉じた状態の側面図である。
【符号の説明】
１  上部カプセル                  ２  下部カプセル
３  蝶つがい                      ４  糸通し孔
５  開口部カバー                  ６  上部カプセル凹部分
７  下部カプセル凸部分            ８  投入用フック
９  上部カプセル空気抜き孔      １０  下部カプセル空気抜き孔
１１  サシエ                      １２  コマセ
１３  釣り糸                      １４  サルカン
１５  半円シモリ                  １６  ウキクッション
１７  ウキ
【図１】
2005168478.tif 000003
【図２】
2005168478.tif 000004
【図３】
2005168478.tif 000005
【図４】
2005168478.tif 000006
【図５】
2005168478.tif 000007